(57)【要約】【課題】容器の開封が容易で、プラスチック材料のリサイクルにあたり、金属など異物の混入のない原料として容易に回収可能なプラスチック容器を提供する。【解決手段】内容物を収める凹部を形成した本体部、これに対応する形状を備えたフタ部、及びこれら本体部およびフタ部を屈曲自在に連結するヒンジ部を有し、かつ該本体部およびフタ部は各々その周縁にフランジ部が設けられ、各フランジ部の少なくとも一部には、閉蓋時に重なり合う対応位置に切断用筋目が設けられてなるプラスチック容器。【選択図】　　図２
2004017968.tif 000002
【特許請求の範囲】
【請求項１】
内容物を収める凹部を形成した本体部、これに対応する形状を備えたフタ部、及びこれら本体部およびフタ部を屈曲自在に連結するヒンジ部を有し、かつ該本体部およびフタ部は各々その周縁にフランジ部が設けられ、各フランジ部の少なくとも一部には、閉蓋時に重なり合う対応位置に切断用筋目が設けられてなるプラスチック容器。
【請求項２】
プラスチック容器が卵容器であり、かつ切断用筋目がミシン目又はハーフカットである請求項１のプラスチック容器。
【発明の詳細な説明】
【０００１】
【発明の属する技術分野】
本発明は合成樹脂シートを成形した商品収納用のプラスチック容器であって、凹部を形成した本体部分及びフタ部分、並びにこれらを屈曲自在に連結するヒンジ部分からなり特に卵容器として好ましい。この容器は封繊部の開封が容易で、かつ使用後の容器をプラスチック原料として回収するのに適している。
【０００２】
【従来の技術】
従来の簡易包装用プラスチック容器、特に卵容器は、合成樹脂シートを熱成形、またはブロー成形して一体に成形される。図１は従来の卵容器を示す斜視図である。卵容器４０は、本体部１０と、フタ部２０とこれら２つの部分を屈曲自在に連結するヒンジ部３０からなる。前記本体部１０及びフタ部２０には、複数の卵を入れる凹部１１、２１、並びにフランジ部１２、２２が設けられている。
【０００３】
このような従来の卵容器４０では、本体部１０の凹部１１に卵を入れた後、ヒンジ部３０を折り曲げてフタ部２０を被せ、フランジ部１２、２２を重ね合せる。ついでこれらフランジ部１２、２２を超音波振動により溶着させたり、ホッチキスまたは、粘着テープで固定する。
【０００４】
しかしこのような容器を開封する時は、前記フランジの固着部を爪で剥がして開くなどのわずらわしい作業が必要である。このような容器の改良として、例えば、特開平９−２７２５７９では、両フランジ部が完全には密着しないよう、フランジ部の端部に凹凸を形成したり、いずれか一方のフランジ端部を斜めに折曲げて舌片を形成したり、いずれかの一方のフランジ部の周縁を斜めに切断することが提案されている。しかしながらこのような容器にあってもなお開封は容易とは言えず、更に留金や粘着テープ等が容器に付着しているためプラスチック原料として回収するには不都合であった。
【０００５】
【発明が解決しようとする課題】
本発明の目的は、容器の開封が容易で、プラスチック材料のリサイクルにあたり、金属など異物の混入のない原料として容易に回収可能なプラスチック容器を提供することにある。
【０００６】
【問題を解決するための手段】
本発明は、内容物を収める凹部を形成した本体部、これに対応する形状を備えたフタ部、及びこれら本体部およびフタ部を屈曲自在に連結するヒンジ部を有し、かつ該本体部およびフタ部は各々その周縁にフランジ部が設けられ、各フランジ部の少なくとも一部には、閉蓋時に重なり合う対応位置に切断用筋目が設けられてなるプラスチック容器を提供するものである。
【０００７】
かかるプラスチック容器は、ポリエステル、ポリ塩化ビニルなど目的に応じ種々の公知の合成樹脂シートを用い熱成形、ブロー成形などにより一体に成形製造することができる。
【０００８】
【発明の実施の形態】
つぎに本発明のプラスチック容器について、卵容器を例にとり図面を参照しながら更に具体的に説明する。図２は本発明卵容器の一具体例を示す斜視図である。卵容器の本体部には卵（商品）を収める１または複数の凹部が形成され、その上部周縁にはフランジ部が設けられる。同様にフタ部にも凹部及びフランジ部が設けられ、本体部に対応した形状を有し、本体部に被さって内容物を収容包装する。すなわち、図２において、卵容器４０は、本体部１０及びこれに対応するフタ部２０、並びにこれら２つの部分を屈曲自在に連結するヒンジ部３０からなる。本体部１０及びフタ部２０の各々には、複数（本具体例では２×５個）の卵を収納し得る凹部１１，２１が設けられ、これら凹部の開口の周縁には各々フランジ部１２、２２が形成される。
【０００９】
（切断用筋目）
各フランジ部、すなわち本体部のフランジ部１２及びフタ部のフランジ部２２には、蓋を閉じた時に重なり合うフランジ部の各位置に切断用筋目であるミシン目１３、２３が設けられる。本体部のミシン目１３は、図中フタ部２０のミシン目２３に重なって平行に形成されている。
【００１０】
前記切断用筋目は、これに沿って容易に手で引裂くことができるように、その部分の機械的強度が低くなるように設定すればよく、典型的にはミシン目のほかハーフカットなど、従来かかる目的で用いられる公知の加工方法が採用されてよい。具体的には、ミシン針あるいは異形刃、異形ローラー等で列状に貫通孔あるいは貫通の断続的な切れ目を開ける方法、あるいはナイフやローラーカッター等である程度の探さの切り構をつける方法、熱ローラ等で溝をつける方法、レーザー等で溶融させて溝ないしは貫通孔等を形成させる方法などが用いられてよい。これらの筋目は断続していてもよく、又溝深さが変化してもよい。更に各フランジ部の表裏何れから形成されてもよい。
【００１１】
（プラスチック容器の使用と回収）
したがって、本発明のプラスチック容器を使用するには、卵など内容物を本体部の凹部に収納し、屈曲自在なヒンジ部を介して設けられたフタ部を被せてフランジ部を重ね合わせる。ついで、フランジ部につけられた切断用筋目のさらに外縁側にて溶着留め、ホッチキス留め、粘着テープ留めなど、従来公知の適宜の封緘方法により封緘を行う。
【００１２】
このようにして包装されたプラスチック容器は、開封に際し、切断用筋目に従って、手で引裂くなどして容易に開封できる。容器より取り去った小片部分をには留金、テープ等がついているが、この小片部分のみ廃棄すれば、プラスチック容器の他のほとんどの部分は再生資源として回収することができ、資源のリサイクル化が容易となり好ましい。
【００１３】
（本発明の他の態様）
なお、図２において切断用筋目はヒンジの対向辺に設けられているが、ヒンジに隣接する１辺または２辺に設けてもよい。また、フランジ部の全体に設けてもよく、フランジ部の極一部に設けてもよい。例えば、図３に示すようにフランジ部のコーナーを斜めに横切った切断用筋目１３ａ、２３ａであってもよく、適宜の大きさの半円形の切断用筋目１３ｂ、２３ｂであってもよい。さらにフランジ部に所定の間隔をあけて、複数設けてもよい。
【００１４】
なお、切断用筋目の形成はプラスチック容器の成型と同時に行うのが好ましいが、容器が完成した後に別途施してもよい。さらに、前記切断用筋目を商品封緘時に設けてもよく、封緘後に形成してもよい。すなわち、切断用筋目のないプラスチック容器の本体部１０に、製品を収容してフタ部２０を閉じた後、適宜の方法によりフランジ部間の固定を行うと同時に、又はかかる工程の後に当該固着部分と凹部との間に前記の切断用筋目（ミシン目など）を設けて、本発明のプラスチック容器に形成してもよい。
【００１５】
なお、前記ヒンジ部は折曲げやすくするために、折曲げ位置に曲げクセを成形したり、部分的な薄肉化などを行ってもよいが、上記と同様のミシン目又はハーフカット加工を行ってもよい。かかる加工は卵容器の表裏何れから行ってもよく、又一列であってもよく複数列であってもよい。
【００１６】
【発明の効果】
本発明のプラスチック容器は、卵など商品の包装にあたって従来のあらゆる封緘方法が採用し得る。容器の開封は手で容易に可能であり、ホッチキスなどの留金や粘着テープと共に容器の主要部より引きちぎられた小片のみを廃棄することにより、プラスチック原料の効率のよいリサイクルを行うことができる。
【図面の簡単な説明】
【図１】従来の卵容器を示す斜視図である。
【図２】本発明の卵容器を示す斜視図である。
【図３】本発明卵容器の他の具体例を示す概略図である。
【符号の説明】
１０　　本体部
１１　　凹部
１２　　フランジ部
１３　　ミシン目
１３ａ、１３ｂ　　切断用筋目
２０　　フタ部
２１　　凹部
２２　　フランジ部
２３　　ミシン目
２３ａ、２３ｂ　　切断用筋目
３０　　ヒンジ部
４０　　卵容器
【図１】
2004017968.tif 000003
【図２】
2004017968.tif 000004
【図３】
2004017968.tif 000005